(57)【要約】【課題】植栽用掘削具の螺旋体の外周を支持しつつ、従来よりも軽量化を図る。【解決手段】植栽用掘削具１０は、回転シャフト１４、螺旋ブレード１６、及び支持プレート１８を備える。回転シャフト１４は、モータ駆動するドライバードリル１２に取り付けられる基部１４Ａと、尖鋭形状の遠位端部１４Ｂを備える。螺旋ブレード１６は、遠位端部１４Ｂに近接して設けられ回転シャフト１４に複数巻きに亘って捲回される。支持プレート１８は、螺旋ブレード１６の外周に、周方向に間隔を空けて複数設けられ、複数巻きに亘って螺旋ブレード１６を支持する。【選択図】図１
0003214400.tif 000002
【実用新案登録請求の範囲】
【請求項１】
モータ駆動するドライバに取り付けられる基部と、尖鋭形状の遠位端部を備える回転シャフトと、
前記遠位端部に近接して設けられ前記回転シャフトに複数巻きに亘って捲回される螺旋ブレードと、
前記螺旋ブレードの外周に、周方向に間隔を空けて複数設けられ、前記複数巻きに亘って前記螺旋ブレードを支持する支持プレートと、
を備える、植栽用掘削具。
【請求項２】
請求項１に記載の植栽用掘削具であって、
前記回転シャフトの長手方向長さが５０ｃｍ以上１００ｃｍ以下である、植栽用掘削具。
【考案の詳細な説明】
【技術分野】
【０００１】
本考案は、植栽用掘削具に関する。
【背景技術】
【０００２】
ポット等にて育苗された苗を定植する際に、土に植え穴を掘る。例えば特許文献１では、モータ駆動するドライバに穿孔ユニットを取り付け、これを回転駆動させることで、苺の苗を定植させるための穴を畝に掘削している。
【０００３】
具体的に、穿孔ユニットは、先端側に先鋭部が設けられた回転軸体と、回転軸体の外周に数ピッチ捲回された螺旋体と、螺旋体の外周に取り付けられる筒状の掘削土飛散防止カバーを備える。
【先行技術文献】
【特許文献】
【０００４】
【特許文献１】特開２００９−１９５１５３号公報
【考案の概要】
【考案が解決しようとする課題】
【０００５】
ところで、螺旋体の外周に、全周に亘って筒状の飛散防止カバーを設ける場合、当該飛散防止カバーの重量が嵩み、回転駆動力を出力するドライバの要求トルクが高くなる。一方、飛散防止カバーを取り払った場合、螺旋体の外周を支持する支持体が無くなることから、耐久性の観点から改善の余地がある。そこで本考案は、螺旋体の外周を支持しつつ、従来よりも軽量化された、植栽用掘削具を提供することを目的とする。
【課題を解決するための手段】
【０００６】
本考案は、植栽用掘削具に関する。当該掘削具は、回転シャフト、螺旋ブレード、及び支持プレートを備える。回転シャフトは、モータ駆動するドライバに取り付けられる基部と、尖鋭形状の遠位端部を備える。螺旋ブレードは、遠位端部に近接して設けられ回転シャフトに複数巻きに亘って捲回される。支持プレートは、螺旋ブレードの外周に、周方向に間隔を空けて複数設けられ、複数巻きに亘って螺旋ブレードを支持する。
【０００７】
また、上記考案において、回転シャフトの長手方向長さが５０ｃｍ以上１００ｃｍ以下であってよい。
【考案の効果】
【０００８】
本考案によれば、螺旋体の外周を支持しつつ、従来よりも軽量化された、植栽用掘削具を提供可能となる。
【図面の簡単な説明】
【０００９】
【図１】本実施形態に係る植栽用掘削具をドライバードリルに取り付けたときの例を示す図である。
【図２】本実施形態に係る植栽用掘削具の全体像を例示する図である。
【図３】本実施形態に係る植栽用掘削具の遠位端部周辺の構造を示す拡大図である。
【図４】本実施形態に係る植栽用掘削具を用いた掘削作業（１／３）を説明する図である。
【図５】本実施形態に係る植栽用掘削具を用いた掘削作業（２／３）を説明する図である。
【図６】本実施形態に係る植栽用掘削具を用いた掘削作業（３／３）を説明する図である。
【考案を実施するための形態】
【００１０】
図１には、本実施形態に係る植栽用掘削具１０がドライバードリル１２に取り付けられたときの例が示されている。なお、植栽用掘削具１０は、モータ駆動されるドライバであれば取り付け可能であって、例えばインパクトドライバに取り付けることもできる。
【００１１】
図２に、植栽用掘削具１０の全体像が例示される。植栽用掘削具１０は、回転シャフト１４、螺旋ブレード１６、及び支持プレート１８を備える。植栽用掘削具１０は、例えば鉄やアルミ等の、剛性を備えた金属材料から構成される。
【００１２】
回転シャフト１４はドライバードリル１２に取り付けられる軸体であって、長手方向の一端に、ドライバードリル１２に取り付けられる基部１４Ａを備え、他端に尖鋭形状の遠位端部１４Ｂを備える。基部１４Ａにはドライバードリル１２のドリルチャック１２Ａに装着されるスプライン溝が形成される。
【００１３】
回転シャフト１４の長手方向の全長Ｌ１は、５０ｃｍ以上１００ｃｍ以下であってよい。このような長さとすることで、掘削作業を立位にて行うことができ、複数の植え穴を掘削する際の場所移動が容易になる。
【００１４】
図３に、回転シャフト１４の遠位端部１４Ｂ周辺の拡大図が例示される。遠位端部１４Ｂは尖鋭形状であり、土壌への穿孔が容易となっている。
【００１５】
遠位端部１４Ｂに近接して、具体的には遠位端部１４Ｂからわずかに基部１４Ａ側に、螺旋ブレード１６が設けられる。螺旋ブレード１６は回転シャフト１４の外周に、複数巻きに亘って捲回される。例えば螺旋ブレード１６の捲回数は２．０（２巻き）とする。またブレード間のピッチｐは、小石の噛み込みを防ぐために、例えば３ｃｍ以上７ｃｍ以下の範囲で定められる。また、螺旋ブレード１６のピッチ角は、３０°以上６０°以下の範囲で定められる。
【００１６】
加えて、螺旋ブレード１６は、遠位端部１４Ｂ側に進むに従ってそのブレード径が小さくなるように形成されてよい。このような形状とすることで、土壌への穿孔が容易に行える。
【００１７】
また、回転シャフト１４の長手方向に沿った螺旋ブレード１６の全幅Ｌ２及び直径Ｒ１は、植栽対象である苗のサイズに応じて定められる。例えば樹木の育苗ポットとして一般的に使用されている３号ポット分の植え穴が掘削可能となるように、螺旋ブレード１６の直径Ｒ１が定められる。
【００１８】
例えば、３号ポットは直径９ｃｍであることから、螺旋ブレード１６の直径Ｒ１は９ｃｍ以上１１ｃｍ以下となるように定められる。また、螺旋ブレード１６の全幅Ｌ２は、後述するように、掘削の過程で削られほぐされた土を植え穴２２の底に堆積させるために、３号ポットの深さを超過するように定められる。具体的には、３号ポットは深さ７．６ｃｍであることから、螺旋ブレード１６の全幅Ｌ２は８ｃｍ以上１５ｃｍ以下となるように定められる。
【００１９】
螺旋ブレード１６の外周には支持プレート１８が取り付けられる。支持プレート１８は回転シャフト１４の長手方向に延設され、螺旋ブレード１６を複数巻きに亘ってその外周を支持する。支持プレート１８は螺旋ブレード１６の外周に、周方向に間隔を空けて複数設けられる。例えば支持プレート１８は、１８０度間隔で２枚設けられる。
【００２０】
また、支持プレート１８の中心角θは、例えば１０°以上２０°以下に定められる。例えば支持プレート１８を２枚設けた場合、螺旋ブレード１６の外周の被覆率は最大で１／９（４０°／３６０°）となり、全周を覆った場合と比較して軽量化が図られる。
【００２１】
図４〜図６には、本実施形態に係る植栽用掘削具を用いた掘削作業工程が例示される。図４及び図５に示すように、土壌表面２０に植栽用掘削具１０の遠位端部１４Ｂを挿し入れ、ドライバードリル１２のトリガー１２Ｂを引いて植栽用掘削具１０を回転駆動させる。
【００２２】
植栽用掘削具１０を回転駆動させつつ地中に押し入れることで、図５のように掘削が進行する。掘削された土は螺旋ブレード１６の回転に従って土壌表面２０に運搬される。運搬された土は植え穴２２の周囲に堆積する。
【００２３】
また、螺旋ブレード１６の回転の過程で、支持プレート１８，１８間の間隙から一部の土が脱落する。また、螺旋ブレード１６の回転の過程で、支持プレート１８が植え穴２２の側面を削り取る。これらの脱落または削り取られた土は植栽用掘削具１０によって破砕されほぐされた状態となっており、このような土が植え穴２２の底に溜まることで、樹木苗の根が張り易くなる。
【００２４】
螺旋ブレード１６の最も基部１４Ａ側の端部が地表面に到達すると、掘削が完了する。図６には植栽用掘削具１０によって掘削された植え穴２２が例示される。上述したように、螺旋ブレード１６の全幅Ｌ２及び直径Ｒ１は、植栽対象である樹木苗のサイズ（正確には樹木苗が収容される育苗ポットのサイズ）に応じて定められているので、当該樹木苗に過不足のない植え穴２２が掘削される。さらに、上述したように植え穴２２の底には掘削過程で破砕されほぐされた状態の土２４が堆積しており、樹木苗の根が張り易くなる。
【符号の説明】
【００２５】
１０  植栽用掘削具、１２  ドライバードリル、１２Ａ  ドリルチャック、１２Ｂ  トリガー、１４  回転シャフト、１４Ａ  基部、１４Ｂ  遠位端部、１６  螺旋ブレード、１８  支持プレート、２０  土壌表面、２２  植え穴。
【図１】
0003214400.tif 000003
【図２】
0003214400.tif 000004
【図３】
0003214400.tif 000005
【図４】
0003214400.tif 000006
【図５】
0003214400.tif 000007
【図６】
0003214400.tif 000008